(57)【要約】【課題】コンパクトディスクを整頓された状態で保管できるように束状に結合するＣＤ収納トレイを提供する。【解決手段】コンパクトディスクを収納するための円形凹部と中心孔が形成され，コンパクトディスクを堅く保持するため，中心孔の周縁部に係止凸部が形成されるコンパクトディスクホルダプレートを備え，このコンパクトディスクホルダプレートの上面の各角隅部には，それぞれ凸部が形成され，これら凸部の裏側となる下部には，凸部と面積が略同一の凹部が形成され，コンパクトディスクホルダプレートには，中心孔の近傍に中心孔に連通する取出開口部がさらに形成されていることを特徴とする。【選択図】　　　　図１
2004010173.tif 000002
【特許請求の範囲】
【請求項１】
コンパクトディスクを収納するための円形凹部と中心孔が形成され，前記コンパクトディスクを堅く保持するため，前記中心孔の周縁部に係止凸部が形成されるコンパクトディスクホルダプレートを備え，
前記コンパクトディスクホルダプレートの上面の各角隅部には，それぞれ凸部が形成され，前記凸部の裏側となる下部には，前記凸部と面積が略同一の凹部が形成されていることを特徴とする，コンパクトディスク収納トレイ。
【請求項２】
前記コンパクトディスクホルダプレートには，前記中心孔の近傍に，前記中心孔に連通する取出開口部がさらに形成されていることを特徴とする，請求項１に記載のコンパクトディスク収納トレイ。
【請求項３】
前記コンパクトディスクホルダプレートを積み重ねる際に，前記コンパクトディスクホルダプレートの一側端面に接着テープを貼り，前記接着テープの上下端にフリップ部材及びカバー部材をそれぞれ接合し，前記コンパクトディスクホルダプレートの他側端に，下面側の両端に面ファスナが縫着されたロックバンドにより，前記フリップ部材及び前記カバー部材を相互連結して，前記ＣＤホルダプレートを結束することを特徴とする，請求項１又は２に記載のコンパクトディスク収納トレイ。
【発明の詳細な説明】
【０００１】
【発明の属する技術分野】
本発明は，コンパクトディスク収納トレイに関し，特にコンパクトディスクをより整理して収納するために束状に結合することの可能なコンパクトディスク収納トレイに関するものである。
【０００２】
【従来の技術】
コンパクトディスク（Ｃｏｍｐａｃｔ　Ｄｉｓｋ；以下，ＣＤと記載する。）は，プラスチックディスケット上の微小トラックに沿って記録されたデータ信号を受信するレーザービーム技術による装置である。１９７０年代末に最初に原型を紹介して以来，ビデオ画像，オーディオ信号などだけでなく全てのタイプのデータの確かな記憶システムとして急速に改良されてきた。これらＣＤを保管するのに，例えばプラスチック等で形成されたケース本体と蓋体をヒンジ等で留めて開閉可能に連結させる構成を有するフリップ開放型のＣＤ保管ケースが使用されている。
【０００３】
【発明が解決しようとする課題】
しかしながら，上記のフリップ開放型のＣＤ保管ケースは，プラスチック等の滑り易い材質で形成され，束状に結合して保管することが難しいので，かかるＣＤ保管ケースを一まとめにして保管するのに，ＣＤパウチ，ＣＤキャビネット，ＣＤフレーム等の他の束状ハウジング型の収納具を別途に使用する必要がある。このため，フリップ開放型ケースは，索引作業，ファイル保管，出版等に手間を要することがあった。
【０００４】
上記の課題を解消するための，多様な優れたアイディアがこれまで市場に出ていたが，実用使用，製造，値段決定又はファイル管理の面で，特にデジタル出版又はＣＤの大小規模分類保管で未だ補償されていないのが現状である。
【０００５】
本発明は，従来のＣＤ保管ケースが有する上記問題点に鑑みてなされたものであり，本発明の目的は，ＣＤをコンパクトにまとめて保管でき，かつ分類，取り出しを容易にすることの可能な，新規かつ改良されたコンパクトディスク収納トレイを提供することである。
【０００６】
【課題を解決するための手段】
上記課題を解決するために，本発明の第１の観点によれば，コンパクトディスクを収納するための円形凹部と中心孔が形成され，コンパクトディスクを堅く保持するため，中心孔の周縁部に係止凸部が形成されるコンパクトディスクホルダプレートを備え，このコンパクトディスクホルダプレートの上面の各角隅部には，それぞれ凸部が形成され，これら凸部の裏側となる下部には，凸部と面積が略同一の凹部が形成されていることを特徴とする，コンパクトディスク収納トレイが提供される。
【０００７】
このとき，コンパクトディスクホルダプレートには，中心孔の近傍に中心孔に連通する取出開口部がさらに形成されていることとしてもよい。
【０００８】
また，このとき，コンパクトディスクホルダプレートを積み重ねる際に，コンパクトディスクホルダプレートの一側端面に接着テープを貼り，この接着テープの上下端にフリップ部材及びカバー部材をそれぞれ接合し，コンパクトディスクホルダプレートの他側端に，下面側の両端に面ファスナが縫着されたロックバンドにより，フリップ部材及びカバー部材を相互連結して，コンパクトディスクホルダプレートを結束することとしてもよい。
【０００９】
かかる構成とすることにより，従来のＣＤケースとは異なり，本発明は，ＣＤ収納トレイを小冊子状に積み重ねてＣＤのデータ記録部を保護し，前述したＣＤケースの欠点を克服することを重点的に取り扱うものとなる。
【００１０】
つまり，本発明によるＣＤ収納トレイの特徴部となるコンパクトディスクを収納するための最小深さの円形陥没部を有する最小厚さのトレイ本体の上面の各角隅部に形成された凸部と，他のトレイ本体に形成された凹部を嵌合させることにより，複数のＣＤ収納トレイをコンパクトに一まとめにすることが可能となる。また，ＣＤホルダプレートの中心孔に隣接して形成された取出開口部に手指等で収納されているＣＤを押し出すことにより，容易にＣＤをＣＤ収納トレイから取り出すことができる。
【００１１】
また，ＣＤ収納トレイを接着テープ又はそのほかの適切な手段により製本し得るように，ＣＤ収納トレイの少なくとも一側端面は平らに形成して，ＣＤ収納トレイが通常の本ページのように一つずつ捲られるようにすることができる。その結果，取出開口部を通じて一指先でＣＤの非データ記録部を押すことにより，トレイ上の選択ＣＤを直ちに放出することができる。
【００１２】
また，本発明は，その特異な製本性のためデジタル出版及びファイル管理に理想的に適する。なお，このアイディアの利用により，適当な追加ケース製造費用でブランクＣＤを非常に広げることができる。
【００１３】
【発明の実施の形態】
以下に添付図面を参照しながら，本発明にかかる装置の好適な実施の形態について詳細に説明する。なお，本明細書及び図面において，実質的に同一の機能構成を有する構成要素については，同一の符号を付することにより重複説明を省略する。
【００１４】
まず，本発明の第１の実施の形態によるＣＤ収納トレイの構成を図面を参照しながら説明する。図１は，本発明の第１の実施の形態によるＣＤ収納トレイにＣＤが収納された状態を示す平面図であり，図２は，図１を底面から見た図であり，図３は，図１の正面縦断面図である。
【００１５】
図１に示すように，本実施形態のＣＤ収納トレイは，ＣＤホルダプレート１の上側面に，コンパクトディスク（ＣＤ）２が収納される円形凹部３が形成される。また，ＣＤホルダプレート１の中心部には，中心孔４が形成され，この中心孔４の周縁部には，ＣＤの中央に設けられたハブ孔に係止する係止凸部５が円周方向に離隔するように形成される。さらに，中心孔４には，図２に示すように，取出開口部６が隣接して連通するように形成される。
【００１６】
本実施形態のＣＤ収納トレイに備わるＣＤホルダプレート１は，例えば従来技術のようにプラスチックから形成される。なお，データベースの長期間保管，放送記録などの特殊目的で用いられるコンパクトディスクを保管する場合は，ＣＤホルダプレート１は，金属から製造することも可能である。
【００１７】
標準的なＣＤ２は，データ記録部を保護するためにＣＤの中央に設けられたハブ孔の周縁部に余白部を有する。この余白部は，データが記録されていない非データディスク部７として機能する。
【００１８】
本実施形態のＣＤ収納トレイに装着されたＣＤ２は，円形凹部３の境界を決める環状内枠部とＣＤ２の外側エッジとの間に略最小のギャップを有し，円形凹部３，つまり円形陥没部に堅く保持されるので，コンパクトディスク２の非データディスク部７の一部を，取出開口部６を介して手指等で押さない限り，ＣＤ２は，ＣＤホルダプレート１から外れない。また，ＣＤホルダプレート１の中心部に形成された中心孔４は，暗い状況下でも指先が容易に取出開口部６を捜し出すのにも役立つ。
【００１９】
さらに，本実施形態のＣＤ収納トレイの４つの角隅部の各々には，図３に示すように，ＣＤホルダプレート１の上面側には，凸部８が形成され，これら凸部８の裏側に当たる下部には，かかる凸部と面積が略同一の凹部１４が形成されている。なお，これら凸部８及び凹部１４の作用については，後述するものとする。
【００２０】
次に，本実施形態のＣＤ収納トレイを複数枚まとめたときの状態，及びかかる作用について図面を参照しながら説明する。図４は，本実施の形態による多数のＣＤ収納トレイが接着テープ及びロックバンドにより製本状に積み重ねられた状態を示す平面図であり，図５は，図４の側面図であり，図６は，図４に示すロックバンドの平面図であり，図７は，上側フリップ部材を製本状に結束されたＣＤ収納トレイから開放した状態を示す部分側面図である。
【００２１】
上述したように，ＣＤホルダプレート１の上面に有する４つの角隅部には，それぞれ凸部８が形成され，これら凸部８の下部には，かかる凸部と面積が略同一の凹部１４がそれぞれ形成されている。したがって，ＣＤホルダプレート１の凸部８は，他のＣＤホルダプレート１の凹部１４にそれぞれ結合できる。その結果，ＣＤ収納トレイを積み重ねる場合，ＣＤホルダプレート１は，互いに固定され，水平方向に移動することが防止され，ＣＤ収納トレイを積み重ねて一まとめにする際に，整えられた本形状を取ることとなる。
【００２２】
また，本実施形態のＣＤ収納トレイの少なくとも一側端は，平面に形成される。このため，いくつかのＣＤ収納トレイが積み重ねられたとき，これら平面で形成される一側端面側は，図５に示すように，一線に整列される。この状態で，ＣＤ収納トレイの一側端面に接着テープ１１を貼り，図７に示すように，フリップ部材９及びカバー部材１０をそれぞれ接着テープ１１の上下端に接合させると，ＣＤ収納トレイは，効率よく小冊子状に結束できる。ＣＤ収納トレイの他側端には，フリップ部材９及びカバー部材１０の端部を互いに連結するためのロックバンド１２が設けられる。このロックバンド１２の両端部には，図６に示すように，フリップ部材９及びカバー部材１０の端部に付着するため，例えば面ファスナ（商標名：マジックテープ（登録商標））１３が下側面に縫着される。
【００２３】
他側端に隣接して各ＣＤホルダプレートの二つの凸部８間には，わずかに凹んだ溝部１５が形成され，この溝部１５に商標などを付着することができる。このため，事前にＣＤ分離位置を容易に定められるので，ファイル保管作業が効率よく行える。
【００２４】
また，本実施の形態のＣＤ収納トレイのフリップ動作は，たいてい垂直方向に行われるので，ＣＤ面が横断方向に傷つくか又は損傷することが防止される。
【００２５】
なお，本実施の形態によるＣＤ収納トレイの製造に際しては，現存の生産システム及び／又は包装システムの全体を変えることなく，一部のみを加えるか又は除去することで十分である。
【００２６】
以上，添付図面を参照しながら本発明に係る好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００２７】
【発明の効果】
以上詳述したように本発明によれば，従来フリップ開放型ケースとは異なり，小冊子形状のようにＣＤホルダプレートを単に捲ることにより，所望のコンパクトディスクを容易にまとめ，分類，さらに捜し出すことができるという利点を提供する。
【００２８】
特に，取出開口部のため，コンパクトディスクを小冊子状に結束されたＣＤホルダプレートのなかの対応ＣＤホルダプレートから易しく取り出すことができる。
【００２９】
また，本発明によるＣＤ収納トレイは，小冊子状に易しく結束できるので，付加の情報用紙又は本カバーを結果の結束トレイに容易に提供することができ，別途のファイル保管システムを用いずに書棚に保管及び展示でき，よってコンテンツ別にファイリング又は索引作業をするのに便利なものとなる。
【図面の簡単な説明】
【図１】本発明の第１の実施の形態によるＣＤ収納トレイにコンパクトディスクが収納された状態を示す平面図である。
【図２】図１の底面図である。
【図３】図１の正面縦断面図である。
【図４】本発明の第１の実施の形態による多数のＣＤ収納トレイが接着テープ及びロックバンドにより製本状に積み重ねられた状態を示す平面図である。
【図５】図４の側面図である。
【図６】ロックバンドの平面図である。
【図７】上側フリップ部材を製本状に結束されたＣＤ収納トレイから開放した状態を示す部分側面図である。
【符号の説明】
１　　ＣＤホルダプレート
２　　コンパクトディスク
３　　円形凹部
４　　中心孔
５　　係止凸部
６　　取出開口部
７　　非データディスク部
８　　凸部
９　　フリップ部材
１０　　カバー部材
１１　　接着テープ
１２　　ロックバンド
１３　　面ファスナ
１４　　凹部
１５　　溝部
【図１】
2004010173.tif 000003
【図２】
2004010173.tif 000004
【図３】
2004010173.tif 000005
【図４】
2004010173.tif 000006
【図５】
2004010173.tif 000007
【図６】
2004010173.tif 000008
【図７】
2004010173.tif 000009